(57)【要約】【課題】土嚢を作るための装置であって、従来の方法に比較して速くて楽に作ることが出来る土嚢製造装置の提供。【解決手段】土が入るホッパー１が支柱２，２…にて所定の高さに支持され、該ホッパー１の底板３には穴１０，１０…を設けると共に該穴１０，１０…の位置には筒体８，８…を下方へ延ばして取着し、筒体８，８…の中間位置には仕切りストッパー９，９…をスライド可能に取付けている。そして、筒体８，８…の下方にはベルトコンベヤ７が配置されている。【選択図】　　　　図１
2004100361.tif 000002
【特許請求の範囲】
【請求項１】
土嚢を作るための製造装置において、土が入るホッパーは支柱にて所定の高さに支持され、該ホッパーの底板には穴を設けると共に該穴の位置には筒体が下方へ延びて取着され、該筒体の中間部位には仕切りストッパーをスライド可能に取付けて筒体の内部空洞を仕切ることが出来、そして、筒体下方にはコンベヤを配置したことを特徴とする土嚢製造装置。
【請求項２】
上記ホッパーは底板の正面に正面板、両側には側板を設け、背面板を備えない形態とした請求項１記載の土嚢製造装置。
【請求項３】
コンベヤの先端には作られた土嚢を収容する搬送袋を配置し、該搬送袋内には底のないバケットを入れて吊設している請求項１、又は請求項２記載の土嚢製造装置。
【発明の詳細な説明】
【０００１】
【発明の属する技術分野】
本発明は、土嚢を効率よく、手軽に製造することが出来る土嚢製造装置に関するものである。
【０００２】
【従来の技術】
土嚢は色々な水害に対して使用されるが、例えば、大雨にて河川の堤防が決壊する危険性がある時には、該堤防に多くの土嚢を積み上げて決壊を防止することが出来る。又、大雨にて家屋が浸水する場合、周りに土嚢を積み上げて家屋に水が侵入することを防止出来る。その他にも、該土嚢は色々な災害時に利用されているが、その製造が面倒であると共に、効率よく安く製造することが出来ない。
【０００３】
土嚢は丈夫な袋に土を詰めたものであり、１度の災害に必要とされる土嚢は非常に多く、その為に効率的に安く作ることが要求されるが、従来から行なわれている最も基本的な方法は、一人の作業者が袋を持って口を開け、別の作業者がスコップで土を掬い上げて袋に詰める方法である。この方法では、時間当りに出来る土嚢の数は限られ、しかも非常な重労働となり、必然的に土嚢のコストは高く成ってしまう。
【０００４】
そこで、このような手作業による土嚢作りを機械化する為に、色々な土嚢製造装置が開発されている。例えば、図６は従来の土嚢製造装置であり、大きなホッパー（イ）にショベルカーにて土を入れ、ホッパー（イ）の下端に設けたスクリュー（ロ）にてホッパー内の土を排出口（ハ）から押出すことが出来、該排出口（ハ）に袋を当てて保持することで袋には土が詰められる。土の量はスクリュー（ロ）の回転時間を制御することで調整可能と成っている。土が詰ったならば、紐を結んで出来あがる。
【０００５】
又最近では、土を用いないで土嚢代用物も知られている。袋には吸水性ポリマーを使用し、水に漬けるならば急激に膨張して土嚢に相当する重量となる。吸水前の重量は非常に軽くて小さい為に、災害現場への搬送は容易である。又、備蓄として保管する際にもスペースを取らない利点がある。しかし、吸水性ポリマーを使用することで、土よりはコスト高となる。
【０００６】
【発明が解決しようとする課題】
このように、土嚢製造装置を使用することで安くて速く製造することが出来る。本発明が解決する課題は、従来の装置に比較してより速くて楽に作ることが出来る土嚢製造装置を提供する。
【０００７】
【課題を解決する為の手段】
本発明に係る土嚢製造装置は、支柱によって所定の高さに設けられたホッパーを有し、該ホッパーの平坦底から筒体を下方へ延ばしている。そして該筒体の中間部位には仕切りストッパーが取付けられ、筒体の下方にはコンベヤが配置されている。そこで、筒体に土が入れば仕切りストッパーを底にしてホッパーの平坦底まで充填される。
【０００８】
ホッパーの平坦底より盛り上がった土が均され、この状態で仕切りストッパーを解除するならば筒内の土は落下して筒体下端に配置している袋に入る。袋は上記コンベヤ上に載っていて、その上端口に筒体下端が嵌っている。土が袋に詰ったならば、上端口は紐で結ばれてコンベヤを稼動して搬送される。そして、コンベヤ先端に大きな搬送袋を配置するならば、土嚢はコンベヤから落下して該搬送袋に収納される。以下、本発明に係る実施例を図面に基づいて詳細に説明する。
【０００９】
【実施例】
図１は本発明に係る土嚢製造装置を示す実施例である。土を積載する為のホッパー１は４本の支柱２，２…により所定の高さに保持されているが、該ホッパー１は４本の支柱２，２…の上端に取着され、底板３には正面板４と両側板５，５にて囲まれているが、背面板は備えていない。そして、上記ホッパー１を備えている左右の支柱２，２…の下端部には横桟６，６が掛架され、この両横桟６，６にはベルトコンベヤ７が取着されている。
【００１０】
一方、ホッパー１の底板３には５本の筒体８，８…が取付けられて下方へ延びていて、該筒体８，８…の中間部位には仕切りストッパー９，９…が備わっている。筒体８にはスリット溝が設けられ、このスリット溝に上記仕切りストッパー９が嵌入してスライド可能と成っている。そこで、仕切りストッパー９を手前側へ引くならば筒体８は貫通し、逆に仕切りストッパー９を押すならば、筒体８は仕切りストッパー９によって仕切られ、内部空洞は上下に分離される。
【００１１】
ところで、上記筒体８はホッパー１の底板３に取着されているが、底板３には穴１０が形成されていて、仕切りストッパー９が引かれることで筒体８の内部空洞は底板３から下端まで貫通することになる。図２は土嚢製造装置の正面図、図３は平面図、図４は側面図を表わしているように、上記ベルトコンベヤ７は筒体８，８…の下方に配置されている。
【００１２】
図５は本発明の土蔵製造装置を用いて土嚢を製造する固定を示している。
（ａ）は筒体８の下端に袋１１を取付けている場合で、袋内には筒体８の下端が嵌っていて、袋１１はベルトコンベヤ７に載っている。ここで、袋１１の材質は特に限定しないことにするが、一般的には丈夫な麻袋が使用される。
（ｂ）はホッパー１に土１２を入れ、土１２は筒体内に入ると共に底板３より盛り上がった状態と成る。該該ホッパー１へは一般にショベルカーにて土１２が入れられる。
（ｃ）は底板３から盛り上がった土１２を除去し、従って筒体８の仕切りストッパー９と底板３までは土１２が充填されている。
（ｄ）この状態で仕切りストッパー９を手前（右側）ヘ引くならば、筒体８に入っている土１２は落下し、筒体下端に取付けられている袋１１に収容される。
【００１３】
図５では１本の筒体８について説明したが、前記図１に示している土嚢製造装置では、５本の筒体８，８…を備えている為に、５本の筒体８，８…の下端部には袋１１，１１…が取付けられる。５本の筒体８，８…に土１２，１２…を入れてから仕切りストッパー９，９…を引いて土１２，１２…を袋１１，１１…に収容出来る。土１２が収容された袋１１はベルトコンベヤ７に載っていて、該袋１１の開口に備えている紐を結んで閉鎖する。
【００１４】
そして、ベルトコンベヤ７を稼動させるならば、土嚢を載せて搬送し、ベルトコンベヤ先端に配置されている大きな搬送袋１３に落下して入る。搬送袋１３の中には金属等の硬い材質で出来た底の無いバケット１４が入っていて、ロープにて吊設されている。土嚢は一旦バケット１４に収容されるが、所定の個数が入ったところでバケット１４は吊上げられて搬送袋１３だけとなる。
【００１５】
ここで、上記ホッパーにはショベルカーによって土が入れられ、そして底板から盛り上がった土はショベルの先端によって均される。以上述べたように、本発明の土嚢製造装置は、ホッパーの底に仕切りストッパーを備えた筒体を取着し、そして筒体の下端にはコンベヤを装着したものであり、次のような効果を得ることが出来る。
【００１６】
【発明の効果】
本発明の土嚢製造装置は、ホッパーに土を入れると共に筒体に充填し、その後底板より盛り上がった土を均したところで仕切りストッパ−を引くならば筒体下端に取付けられている袋に落下収容される。そして収容される土の量は常に一定する。袋は前以てコンベヤに載った状態にある為に、土が収容された土嚢はコンベヤを稼動させることで、何ら手を煩わすことなく搬送される。
【００１７】
そして、コンベヤ先端には大きな搬送袋を配置しておくならば、コンベヤから落下した土嚢が収容される。このように、本発明の土嚢製造装置は、土嚢を手軽に、しかも効率良く速く製造することが出来る。そして土嚢のコストは非常に安くなる。
【図面の簡単な説明】
【図１】本発明の土嚢製造装置の全体図。
【図２】本発明の土嚢製造装置の正面図。
【図３】本発明の土嚢製造装置の平面図。
【図４】本発明の土嚢製造装置の側面図。
【図５】土嚢製造工程。
【図６】従来の土嚢製造装置。
【符号の説明】
１　ホッパー
２　支柱
３　底板
４　正面板
５　側板
６　横桟
７　ベルトコンベヤ
８　筒体
９　仕切りストッパ−
１０　穴
１１　袋
１２　土
１３　搬送袋
１４　バケット
【図１】
2004100361.tif 000003
【図２】
2004100361.tif 000004
【図３】
2004100361.tif 000005
【図４】
2004100361.tif 000006
【図５】
2004100361.tif 000007
【図６】
2004100361.tif 000008